(57)【特許請求の範囲】
【請求項１】
天板よりも上方に配置される炎孔及び前記炎孔よりも上方に配置される位置決め部を有するバーナと、
前記位置決め部に係合可能な係合部を有する五徳と、
を備え、
前記バーナは、前記炎孔が外周面に開口する環状のバーナヘッドと、前記バーナヘッド上に配置される環状のカバー部材とを有し、
前記五徳は、前記天板上に載置されたときに前記カバー部材上に配置される環状の連結部と、前記連結部の外縁に連結される複数の五徳爪とを有し、
前記位置決め部は、前記カバー部材の周方向に沿って傾斜する傾斜案内面を有して前記カバー部材の周方向に並ぶように設けられ、
前記係合部は、前記傾斜案内面と対応する傾斜角度で延びる傾斜係合面を有して前記連結部に設けられ、
前記五徳は、前記天板上に載置されたときに、前記係合部が前記位置決め部に係合することによって位置決めされるとともに、前記傾斜係合面が前記傾斜案内面に面接触した状態で前記バーナに支持されることを特徴とするガスコンロ。
【請求項２】
前記バーナは、複数の前記炎孔が周方向に並ぶように配置される円筒部と、前記円筒部よりも上方に、前記周方向に並ぶように配置された複数の前記位置決め部とを有し、
前記五徳は、前記天板上に載置されたときに先端部が前記円筒部よりも上方に配置される一方で基端部が前記天板に接する五徳爪を複数有し、
前記係合部は、複数の前記五徳爪の先端部が連結された前記連結部に設けられていることを特徴とする請求項１に記載のガスコンロ。
【請求項３】
前記連結部の外縁には、天板側に向けて突出するフランジ部が設けられていることを特徴とする請求項１または請求項２に記載のガスコンロ。
【請求項４】
前記バーナは前記炎孔の上方に配置される上端面を有し、
前記位置決め部は前記上端面に凹設された係止部を有し、
前記五徳は、複数の五徳爪と、前記複数の五徳爪を連結する連結部とを有し、
前記係合部は、前記連結部から突設されていることを特徴とする請求項１〜請求項３のうちいずれか一項に記載のガスコンロ。
【発明の詳細な説明】
【技術分野】
【０００１】
本発明は、バーナ及び五徳を備えるガスコンロに関する。
【背景技術】
【０００２】
従来、ガスバーナが突出する天板に、ガスバーナを突出させるための円形の絞り開口部を設けるとともに、絞り開口部の周囲に２つの孔部を設け、この孔部に五徳の下部に設けた固定ピンをはめ込むことによって、五徳を天板に対して位置決めするガスコンロがある（例えば、特許文献１）。
【先行技術文献】
【特許文献】
【０００３】
【特許文献１】特開２００４−２８３７７号公報
【発明の概要】
【発明が解決しようとする課題】
【０００４】
ところで、ガスコンロの天板には煮こぼれ等による汚れがつきやすい。そして、こうした汚れが孔部に付着すると固定ピンが入りにくくなるので、五徳の位置決めがしにくくなる、という問題が生じる。
【０００５】
なお、こうした問題は、天板に孔部を設けた場合に限らず、例えば位置決め用の凸部や凹部を天板に設けた場合など、五徳を位置決めするための凹凸形状を天板に設けたガスコンロにおいては、概ね共通したものとなっている。
【０００６】
そして、この問題を解消するためには、天板を頻繁に清掃する必要があるが、凹凸形状のある天板は清掃しにくく、凹凸形状に付いた汚れを除去するのに手間がかかってしまうという課題がある。
【０００７】
本発明は、このような従来技術に存在する問題点に着目してなされたものである。その目的とするところは、天板に凹凸形状を設けることなく、五徳を容易に位置決めすることができるガスコンロを提供することにある。
【課題を解決するための手段】
【０００８】
以下、上記課題を解決するための手段及びその作用効果について記載する。
上記課題を解決するガスコンロは、天板よりも上方に配置される炎孔及び前記炎孔よりも上方に配置される位置決め部を有するバーナと、前記位置決め部に係合可能な係合部を有する五徳と、を備え、前記バーナは、前記炎孔が外周面に開口する環状のバーナヘッドと、前記バーナヘッド上に配置される環状のカバー部材とを有し、前記五徳は、前記天板上に載置されたときに前記カバー部材上に配置される環状の連結部と、前記連結部の外縁に連結される複数の五徳爪とを有し、前記位置決め部は、前記カバー部材の周方向に沿って傾斜する傾斜案内面を有して前記カバー部材の周方向に並ぶように設けられ、前記係合部は、前記傾斜案内面と対応する傾斜角度で延びる傾斜係合面を有して前記連結部に設けられ、前記五徳は、前記天板上に載置されたときに、前記係合部が前記位置決め部に係合することによって位置決めされるとともに、前記傾斜係合面が前記傾斜案内面に面接触した状態で前記バーナに支持される。
【０００９】
この構成によれば、五徳の係合部が係合する位置決め部はバーナに設けられているので、五徳をバーナに対して位置決めすることによって、天板に凹凸形状を設けることなく、五徳を天板に対して位置決めすることができる。また、位置決め部はバーナに設けられた炎孔よりも上方に配置されているので、煮こぼれ等によってバーナの下部や天板が汚れた場合にも、位置決め部には汚れが付きにくい。したがって、位置決め部に汚れが付着して五徳の位置決めがしにくくなる、という問題が生じにくいので、五徳を容易に位置決めすることができる。これにより、天板に凹凸形状を設けることなく、五徳を容易に位置決めすることができる。加えて、カバー部材に設けられた位置決め部は、カバー部材の周方向に沿って傾斜する傾斜案内面を有するので、カバー部材の上に五徳の連結部を載せて五徳を周方向に回すと、五徳の傾斜係合面が傾斜案内面と重なる。これにより、五徳の自重によって傾斜係合面と傾斜案内面とが面接触した状態になるので、天板に載置された五徳を安定させることができる。
【００１０】
上記ガスコンロにおいて、前記バーナは、複数の前記炎孔が周方向に並ぶように配置される円筒部と、前記円筒部よりも上方に、前記周方向に並ぶように配置された複数の前記位置決め部とを有し、前記五徳は、前記天板上に載置されたときに先端部が前記円筒部よりも上方に配置される一方で基端部が前記天板に接する五徳爪を複数有し、前記係合部は、複数の前記五徳爪の先端部が連結された前記連結部に設けられているのが好ましい。
【００１１】
この構成によれば、位置決め部は、周方向に並ぶように複数配置されているので、係合部が位置決め部に係合することによって、五徳の周方向における位置決めを行うことができる。そして、係合部は五徳爪の先端部に設けられているので、係合部を直接視認しなくても、五徳爪を視認することで周方向における係合部の位置を把握しつつ、五徳の位置決めを行うことができる。
【００１２】
上記ガスコンロにおいて、前記連結部の外縁には、天板側に向けて突出するフランジ部が設けられているのが好ましい。
【００１３】
この構成によれば、五徳を位置決めした状態で天板上に載置したときに、カバー部材の外縁をフランジ部によって覆うことができるので、カバー部材に汚れが付着するのを抑制することができるとともに、美観を向上させることができる。
【００１４】
上記ガスコンロにおいて、前記バーナは前記炎孔の上方に配置される上端面を有し、前記位置決め部は前記上端面に凹設された係止部を有し、前記五徳は、複数の五徳爪と、前記複数の五徳爪を連結する連結部とを有し、前記係合部は、前記連結部から突設されているのが好ましい。
【００１５】
この構成によれば、五徳の連結部から突設された係合部をバーナの上端面に凹設された係止部にはめ込むことによって、鉛直方向と交差する方向への五徳の移動を規制することができる。そして、係止部はバーナの上端面に形成されているので、五徳を位置決めする際に視認しやすい。また、係合部は複数の五徳爪を連結する連結部から突設されているので、位置決めされた連結部がバーナの上端面に支持されることによって、天板に載置された五徳を安定させることができる。
【発明の効果】
【００１６】
本発明によれば、天板に凹凸形状を設けることなく、五徳を容易に位置決めすることができるガスコンロを提供することができる。
【図面の簡単な説明】
【００１７】
【図１】一実施形態のガスコンロを備える加熱調理器の正面図。
【図２】バーナ及び五徳の一実施形態を示す斜視図。
【図３】位置決め部及び係合部の一実施形態を示す斜視図。
【図４】位置決め部及び係合部の変形例を示す斜視図。
【発明を実施するための形態】
【００１８】
以下、ガスコンロの実施形態について、図を参照して説明する。
図１に示すように、加熱調理器１１は、オーブン１００と本実施形態のガスコンロ２００とを備える複合調理器である。
【００１９】
加熱調理器１１は、筐体部１２と、支持脚部１３と、筐体部１２及び支持脚部１３に支持される配管部１４と、配管部１４の鉛直方向上方に配置される天板１５とを備えている。なお、本実施形態において、天板１５の長手方向（図１では左右方向）を幅方向という一方、天板１５の短手方向（図１では紙面と直交する方向）を奥行き方向ということがある。
【００２０】
天板１５上には、筐体部１２の上方となる位置にオーブン１００の加熱庫１０１が配置されている。また、筐体部１２内には、加熱庫１０１に供給する熱風を発生させる熱風発生部１０２と、ガスコンロ２００に燃料となるガスを供給するガス供給部２０２とが収容されている。
【００２１】
ガスコンロ２００は、バーナ２０１と、鍋等の被加熱物を載置するための五徳３００とを備えている。なお、本実施形態において、天板１５上には、幅方向に沿って並ぶ３つのバーナ２０１が配置されているが、天板１５上に配置するバーナ２０１の数は任意に変更することができる。そして、ガス供給部２０２からバーナ２０１へは、配管部１４内に設けられた管路２０３を通じてガスが供給される。
【００２２】
図２に示すように、バーナ２０１は、炎孔２０４が外周面に開口する環状のバーナヘッド２１０と、バーナヘッド２１０上に配置される環状のカバー部材２２０と、バーナヘッド２１０及びカバー部材２２０の内周側に配置される温度センサ２３０とを有している。なお、温度センサ２３０は上下方向に伸縮可能に構成されている。また、カバー部材２２０はバーナヘッド２１０に対して着脱可能な構成にするのが好ましい。
【００２３】
図３に示すように、バーナヘッド２１０は、複数の炎孔２０４が周方向に並ぶように配置される円筒部２１１を有している。なお、バーナ２０１の近くには、炎孔２０４から噴出される燃料ガスと空気との混合ガスに点火する点火装置１６が天板１５から突出するように設けられている。
【００２４】
温度センサ２３０は、カバー部材２２０よりも上方に突出する円形の頂面２３１と、頂面２３１よりも直径が大きい外周面を有して円筒部２１１の内周側に配置される基端部（図示略）と、頂面２３１から錐状に延びる傾斜面２３４とを備えている。
【００２５】
カバー部材２２０は、炎孔２０４の上方に配置される上端面２２１と、円筒部２１１よりも上方に、周方向に並ぶように配置された複数の位置決め部２２２とを有している。カバー部材２２０は、その外縁が円筒部２１１の外周面と同心円をなすとともに円筒部２１１よりも外方に突出するように、上端面２２１の外縁の直径を円筒部２１１の外周面の直径よりも大きくするのが好ましい。なお、カバー部材２２０は、上端面２２１の外縁の直径が円筒部２１１の外周面の直径と等しくてもよい。
【００２６】
五徳３００は、頂面２３１よりも直径が大きく、温度センサ２３０の基端部の外周面よりも直径が小さい円形の挿通孔３１１を有する環状の連結部３１０と、連結部３１０の外縁に先端部が連結される一方で天板１５上に載置されたときに基端部が天板１５に接する複数の五徳爪３２０とを有している。
【００２７】
複数の五徳爪３２０は、放射状をなすように連結部３１０によって連結されるとともに、天板１５上に載置されたときに、連結部３１０に接続された先端部が円筒部２１１及び上端面２２１よりも上方に配置される。また、五徳３００が天板１５上に載置されたときに、連結部３１０はカバー部材２２０上に配置される。
【００２８】
五徳３００は、位置決め部２２２に係合可能な係合部３３０を有している。係合部３３０は、五徳爪３２０の先端部に設けられているとともに、連結部３１０の五徳爪３２０が連結された部分から下方に突設されている。そして、五徳３００は、天板１５上に載置されたときに、炎孔２０４よりも上方に配置される位置決め部２２２に係合部３３０が係合することによって、バーナ２０１及び天板１５に対して位置決めされる。なお、本実施形態において、位置決め部２２２は周方向に並ぶように６つ設けられているが、位置決め部２２２の数は任意に変更することができる。
【００２９】
バーナ２０１に設けられた位置決め部２２２は、上端面２２１に凹設された係止部２２３と、周方向に並ぶ２つの係止部２２３の間に配置される頂部２２４から係止部２２３に向けて低くなるように傾斜する２つの傾斜案内面２２５とを有している。すなわち、傾斜案内面２２５は、カバー部材２２０の周方向に沿って傾斜している。
【００３０】
上端面２２１を構成する係止部２２３及び傾斜案内面２２５は、環状をなすカバー部材２２０の中心側から外縁側に向けて低くなるように傾斜しているとともに、係止部２２３はカバー部材２２０の外縁に開口する凹部を形成している。
【００３１】
一方、五徳３００の連結部３１０には、周方向に並ぶ２つの係合部３３０の間に配置される境界部３１２から係合部３３０に向けて、傾斜案内面２２５と対応する傾斜角度で延びる傾斜係合面３１３が形成されている。
【００３２】
なお、炎孔２０４として、周方向に一定の間隔を有して配置される保炎孔２０４ａと、保炎孔２０４ａよりも開口が大きい主炎孔２０４ｂとを設ける場合には、周方向において主炎孔２０４ｂと離間した位置に係止部２２３を配置するのが好ましい。
【００３３】
次に、本実施形態のガスコンロ２００の作用について説明する。
五徳３００を天板１５上に載置する際には、図２に示すように、五徳３００の連結部３１０に形成された挿通孔３１１を温度センサ２３０にはめ込む。すると、五徳３００はその自重によって、挿通孔３１１を介して温度センサ２３０の傾斜面２３４に案内されつつ下方に移動して、連結部３１０がカバー部材２２０上に配置される。
【００３４】
この状態で、環状の連結部３１０の中心軸を中心として五徳３００を回転させると、連結部３１０の下面側に突設された係合部３３０がカバー部材２２０の上端面２２１に形成された傾斜案内面２２５に沿って移動する。そして、連結部３１０に設けられた係合部３３０がバーナ２０１に設けられた係止部２２３に係合すると、五徳３００はバーナ２０１に対して位置決めされた状態で、天板１５上に取り付けられる。
【００３５】
このとき、五徳３００は、係合部３３０が係止部２２３に凹凸関係を有して係合することによって周方向への回転が規制されるとともに、その自重によって傾斜係合面３１３が傾斜案内面２２５に面接触した状態となって、バーナ２０１に支持される。このように、五徳３００は、鉛直方向及び周方向に対して位置決めされたときに、その自重によって傾斜係合面３１３が傾斜案内面２２５と面接触した状態になるため、その姿勢が安定する。
【００３６】
以上詳述した実施形態によれば、次のような効果が発揮される。
（１）五徳３００の係合部３３０が係合する位置決め部２２２はバーナ２０１に設けられているので、五徳３００をバーナ２０１に対して位置決めすることによって、天板１５に凹凸形状を設けることなく、五徳３００を天板１５に対して位置決めすることができる。また、位置決め部２２２はバーナ２０１に設けられた炎孔２０４よりも上方に配置されているので、煮こぼれ等によってバーナ２０１の下部や天板１５が汚れた場合にも、位置決め部２２２には汚れが付きにくい。したがって、位置決め部２２２に汚れが付着して五徳３００の位置決めがしにくくなる、という問題が生じにくいので、五徳３００を容易に位置決めすることができる。これにより、天板１５に凹凸形状を設けることなく、五徳３００を容易に位置決めすることができる。
【００３７】
（２）位置決め部２２２は周方向に並ぶように複数配置されているので、係合部３３０が位置決め部２２２に係合することによって、五徳３００の周方向における位置決めを行うことができる。そして、係合部３３０は五徳爪３２０の先端部に設けられているので、係合部３３０を直接視認しなくても、五徳爪３２０を視認することで周方向における係合部３３０の位置を把握しつつ、五徳３００の位置決めを行うことができる。
【００３８】
（３）カバー部材２２０に設けられた位置決め部２２２は、カバー部材２２０の周方向に沿って傾斜する傾斜案内面２２５を有するので、カバー部材２２０の上に五徳３００の連結部３１０を載せて五徳３００を周方向に回すと、五徳３００の傾斜係合面３１３が傾斜案内面２２５と重なる。これにより、五徳３００の自重によって傾斜係合面３１３と傾斜案内面２２５とが面接触した状態になるので、天板１５に載置された五徳３００を安定させることができる。
【００３９】
（４）五徳３００の連結部３１０から突設された係合部３３０をバーナ２０１の上端面２２１に凹設された係止部２２３にはめ込むことによって、鉛直方向と交差する方向への五徳３００の移動を規制することができる。そして、係止部２２３はバーナ２０１の上端面２２１に形成されているので、五徳３００を位置決めする際に視認しやすい。また、係合部３３０は複数の五徳爪３２０を連結する連結部３１０から下方に突設されているので、位置決めされた連結部３１０がバーナ２０１の上端面２２１に支持されることによって、天板１５に載置された五徳３００を安定させることができる。
【００４０】
そして、天板１５に載置された五徳３００を安定させることによって、五徳爪３２０の基端部と天板１５との接触面積を小さくすることができるので、天板１５に付いた汚れが五徳爪３２０に付着するのを抑制することができる。
【００４１】
（５）五徳３００の挿通孔３１１に温度センサ２３０の頂面２３１を挿通させると、五徳３００が傾斜面２３４に沿って下方に移動するので、カバー部材２２０に設けられた位置決め部２２２に向けて連結部３１０に設けられた係合部３３０を案内することができる。これにより、係合部３３０を位置決め部２２２に対して容易に係合させることができる。
【００４２】
（６）カバー部材２２０をバーナヘッド２１０に対して着脱可能な構成にすることによって、カバー部材２２０をバーナヘッド２１０から取り外して、位置決め部２２２の清掃を容易に行うことができる。
【００４３】
（７）カバー部材２２０の外縁は、炎孔２０４が形成された円筒部２１１よりも外方に突出するので、煮こぼれ等が炎孔２０４に付着しないように、カバー部材２２０によってバーナヘッド２１０を保護することができる。
【００４４】
（８）主炎孔２０４ｂと離間した位置に係止部２２３を配置することによって、主炎孔２０４ｂから出る大きな炎が五徳爪３２０に当たらないようにすることができる。これにより、五徳３００上に載置される鍋等を加熱する際の熱効率の低下を抑制することができる。
【００４５】
なお、上記実施形態は、次のように変更して具体化することも可能である。
・図４に示すように、五徳３００の連結部３１０の外縁に、位置決め時に天板１５側に向けて突出する態様になるフランジ部３１４を設けてもよい。この構成によれば、五徳３００を位置決めした状態で天板１５上に載置したときに、カバー部材２２０の外縁をフランジ部３１４によって覆うことができるので、カバー部材２２０に汚れが付着するのを抑制することができるとともに、美観を向上させることができる。
【００４６】
・傾斜係合面３１３及び傾斜案内面２２５を備えず、連結部３１０が係合部３３０を介して係止部２２３に支持される構成にしてもよい。
・連結部３１０において、係合部３３０を五徳爪３２０から離間した位置に設けてもよい。この構成によれば、係合部３３０を任意の位置に配置できるので、設計の自由度を高くすることができる。
【００４７】
・五徳３００を天板１５上に載置した場合に、バーナ２０１から離間する位置に連結部３１０を設けてもよい。例えば、五徳爪３２０の基端部が連結部３１０に接続される態様にすることもできる。この場合にも、五徳３００の先端部から下方に突設された係合部３３０を係止部２２３に係止させることによって、五徳３００の位置決めを行うことができる。
【００４８】
・係合部３３０及び係止部２２３は少なくとも１つずつ設ければよい。ただし、係合部３３０及び係止部２２３を複数設けた場合には、係合部３３０及び係止部２２３が１つずつしかない場合と比較して、五徳３００をより正確に位置決めすることができるので、好ましい。
【００４９】
・バーナ２０１が温度センサ２３０を備えない構成にしてもよい。この場合には、五徳３００の連結部３１０に挿通孔３１１を設けなくてもよいので、五徳３００の構成を簡素化することができる。
【００５０】
・バーナ２０１がカバー部材２２０を備えない構成にしてもよい。この構成によれば、バーナ２０１の構成を簡素化することができる。この場合にも、バーナヘッド２１０の上端面に位置決め部を形成することによって、五徳３００の位置決めを行うことができる。あるいは、カバー部材２２０に替えて、バーナヘッド２１０の上面との間に二次空気用の通気間隙を形成する二次空気ガイドを備え、この二次空気ガイドの上端面に位置決め部を設けてもよい。
【００５１】
・バーナ２０１の上端面２２１に位置決め部を構成する係止部を凸設する一方で、五徳３００に係合部を凹設してもよい。この構成によれば、係止部が凹設されている場合と比較して、係止部に汚れがたまるのを抑制することができる。
【００５２】
・バーナヘッド２１０及び五徳３００の連結部３１０は外縁が円形をなす環状に形成されるものに限らず、例えば外縁が多角形状をなす環状に形成してもよいし、環状を形成しない直線状に形成してもよい。
【００５３】
・ガスコンロ２００はオーブン１００を備える加熱調理器１１に備えられるものに限らず、箱状の本体部の上面側に天板１５が配置されたガステーブルとして実現してもよいし、下方にキャビネットが設けられる天板１５からバーナ２０１が突出するビルトイン型のガスコンロとして実現してもよい。
【符号の説明】
【００５４】
１５…天板、２００…ガスコンロ、２０１…バーナ、２０４…炎孔、２１０…バーナヘッド、２１１…円筒部、２２０…カバー部材、２２１…上端面、２２２…位置決め部、２２３…係止部、２２５…傾斜案内面、３００…五徳、３１０…連結部、３１３…傾斜係合面、３２０…五徳爪、３３０…係合部。
【図１】
0005998165.tif 000002
【図２】
0005998165.tif 000003
【図３】
0005998165.tif 000004
【図４】
0005998165.tif 000005